(57)【要約】【課題】  鼻や頬と被覆シート部との密着性を高め、埃、雑菌、花粉等の遮断効果と安全性の向上を図ることができるマスクを得る。【解決手段】  繊維材料で製造された鼻口部位を覆う被覆シート部１と、該被覆シート部１の両側に備えた耳掛け部２とからなるマスクにおいて、前記被覆シート部１の上辺中央部位に、鼻の上部から両側部に渡って覆う補助被覆シート部３を突出させて設け、マスクを装着した時に、被覆シート部１の上辺中央部位に突出して設けた補助被覆シート部３が、鼻の上部から両側部に渡って覆うことにより、鼻や頬と被覆シート部１との密着性を高め、埃、雑菌、花粉等の遮断効果の向上を図ることができるようにした。【選択図】    図１
2007044140.tif 000002
【特許請求の範囲】
【請求項１】
繊維材料で製造された鼻口部位を覆う被覆シート部と、該被覆シート部の両側に備えた耳掛け部とからなるマスクにおいて、前記被覆シート部の上辺中央部位に、鼻の上部から両側部に渡って覆う補助被覆シート部が突出して設けられていることを特徴とするマスク。
【請求項２】
前記被覆シート部は、使用前の状態ではその中央から左右方向に２つ折りされた平坦形状とされ、使用状態では前方に膨らむ立体形状とされるように構成されていることを特徴とする請求項１に記載のマスク。
【請求項３】
前記被覆シート部と補助被覆シート部は一体に形成され、補助被覆シート部は被覆シート部の顔面当接側に折り曲げられて被覆シート部に重ねられ、この状態で前記折り曲げ部に沿って被覆シート部と補助被覆シート部が固定されており、前記補助被覆シート部が前記固定部位から上方へ折り返されて被覆シート部の上辺から突出可能となっていることを特徴とする請求項１又は２に記載のマスク。
【請求項４】
前記被覆シート部と補助被覆シート部は別体に形成され、前記補助被覆シート部は、その上部を下側に向け下辺を前記被覆シート部の上辺に合わせるようにして被覆シート部の顔面当接側に重ねられ、前記補助被覆シート部の下辺と被覆シート部の上辺とが固定されており、前記補助被覆シート部が前記固定部位から上方へ折り返されて被覆シート部の上辺から突出可能となっていることを特徴とする請求項１又は２に記載のマスク。
【発明の詳細な説明】
【技術分野】
【０００１】
本発明は、鼻部に密着させることのできるマスクに関する。
【背景技術】
【０００２】
埃、雑菌、花粉等を遮るために使用されるマスクとして、ガーゼや不織布といった繊維材料で製造されたマスクが多く使用されている。かかるマスクには、鼻口部位を覆う被覆シート部が平面形状に構成されているものや、被覆シート部が、使用前の状態ではその中央から左右方向に２つ折りされた平坦形状とされ、使用状態では前方に膨らむ立体形状とされるように構成された立体型のマスクがある。前記マスクとしては、埃、雑菌、花粉等を遮るため、マスクを顔に装着したとき、鼻や頬と被覆シート部との間にできるだけ隙間が無いように装着できることが好ましい。
【０００３】
そこで、前記マスクを顔に装着したとき、鼻や頬と被覆シート部との間に隙間が無いような対策が施されたマスクとして、被覆シート部が平面形状に構成されたマスクにおいて、被覆シート部の鼻部に当接する部位に金属製の保形部材を設けたマスクが提案されている（例えば、特許文献１参照。）。また、被覆シート部が平面形状に構成されたマスクに比べ、鼻や頬と被覆シート部との間に隙間を小さくできる立体型のマスクにあっても、立体形状に工夫が為されている。
【特許文献１】実用新案登録第３０２１２２０号公報
【発明の開示】
【発明が解決しようとする課題】
【０００４】
上記被覆シート部の鼻部に当接する部位に金属製の保形部材を設けたマスクによれば、マスク装着時に、保形部材を鼻の形に沿うように折り曲げることにより、被覆シート部が鼻に密着し、鼻や頬と被覆シート部との間に隙間を無くすことができるが、マスクを装着した上から衝撃を受けた場合、前記金属製の保形部材により思わぬ怪我をするおそれが予想される。
【０００５】
また、鼻や頬と被覆シート部との間の隙間を比較的小さくできる立体型のマスクにあっても、鼻の両側と被覆シート部との間に隙間が広く開いており、埃、雑菌、花粉等を遮るためのマスクとして、満足できるものとはなっていない。
【０００６】
本発明の目的は、鼻や頬と被覆シート部との密着性を高め、埃、雑菌、花粉等の遮断効果と安全性の向上を図ることができるマスクを提供するところにある。
【課題を解決するための手段】
【０００７】
上記の目的を達成するために、請求項１に記載の発明は、繊維材料で製造された鼻口部位を覆う被覆シート部と、該被覆シート部の両側に備えた耳掛け部とからなるマスクにおいて、前記被覆シート部の上辺中央部位に、鼻の上部から両側部に渡って覆う補助被覆シート部が突出して設けられていることを特徴とする。
【０００８】
請求項２に記載の発明は、請求項１に記載の、前記被覆シート部は、使用前の状態ではその中央から左右方向に２つ折りされた平坦形状とされ、使用状態では前方に膨らむ立体形状とされるように構成されていることを特徴とする。
【０００９】
請求項３に記載の発明は、請求項１又は２に記載の、前記被覆シート部と補助被覆シート部は一体に形成され、補助被覆シート部は被覆シート部の顔面当接側に折り曲げられて被覆シート部に重ねられ、この状態で前記折り曲げ部に沿って被覆シート部と補助被覆シート部が固定されており、前記補助被覆シート部が前記固定部位から上方へ折り返されて被覆シート部の上辺から突出可能となっていることを特徴とする。
【００１０】
請求項４に記載の発明は、請求項１又は２に記載の、前記被覆シート部と補助被覆シート部は別体に形成され、前記補助被覆シート部は、その上部を下側に向け下辺を前記被覆シート部の上辺に合わせるようにして被覆シート部の顔面当接側に重ねられ、前記補助被覆シート部の下辺と被覆シート部の上辺とが固定されており、前記補助被覆シート部が前記固定部位から上方へ折り返されて被覆シート部の上辺から突出可能となっていることを特徴とする。
【発明の効果】
【００１１】
請求項１に記載のマスクによれば、被覆シート部の上辺中央部位に、鼻の上部から両側部に渡って覆う補助被覆シート部が突出して設けられているので、マスクを装着した時に、被覆シート部の上辺中央部位に突出して設けられている補助被覆シート部が、鼻の上部から両側部に渡って覆うことにより、鼻や頬と被覆シート部との密着性が高まり、埃、雑菌、花粉等の遮断効果の向上を図ることができる。また、従来の被覆シート部の鼻部に当接する部位に金属製の保形部材を設けたマスクに比べ、安全性の高いマスクを得ることができる。
【００１２】
請求項２に記載のマスクによれば、請求項１に記載の、前記被覆シート部は、使用前の状態ではその中央から左右方向に２つ折りされた平坦形状とされ、使用状態では前方に膨らむ立体形状とされるように構成されているので、鼻や頬と被覆シート部との間に隙間を小さくでき、そして、この被覆シート部の上辺中央部位に補助被覆シート部が突出して設けられているので、鼻や頬と被覆シート部との密着性が一層高まり、埃、雑菌、花粉等の遮断効果の一層の向上を図ることができる。
【００１３】
請求項３に記載のマスクによれば、請求項１又は２に記載の、前記被覆シート部と補助被覆シート部は一体に形成され、補助被覆シート部は被覆シート部の顔面当接側に折り曲げられて被覆シート部に重ねられ、この状態で前記折り曲げ部に沿って被覆シート部と補助被覆シート部が固定されており、前記補助被覆シート部が前記固定部位から上方へ折り返されて被覆シート部の上辺から突出可能となっているので、マスク装着時に、補助被覆シート部の顔面当接側に折り曲げられて被覆シート部に重ねられ固定されている補助被覆シート部を、固定部位から上方へ折り返して被覆シート部の上辺から突出させると、固定部位から上方へ折り返した補助被覆シート部に被覆シート部側に戻ろうとする作用が生じ、マスクを装着した時、鼻の上部から両側部に渡って覆う前記補助被覆シート部は被覆シート部側に戻ろうとする作用により、鼻の上部から両側部に沿うように当接するので、鼻や頬と被覆シート部との密着性がより一層高まり、埃、雑菌、花粉等の遮断効果の、より一層の向上を図ることができる。
【００１４】
請求項４に記載のマスクによれば、請求項１又は２に記載の、前記被覆シート部と補助被覆シート部は別体に形成され、前記補助被覆シート部は、その上部を下側に向け下辺を前記被覆シート部の上辺に合わせるようにして被覆シート部の顔面当接側に重ねられ、前記補助被覆シート部の下辺と被覆シート部の上辺とが固定されており、前記補助被覆シート部が前記固定部位から上方へ折り返されて被覆シート部の上辺から突出可能となっているので、マスク装着時に、補助被覆シート部の顔面当接側に折り曲げられて被覆シート部に重ねられ固定されている補助被覆シート部を、固定部位から上方へ折り返して被覆シート部の上辺から突出させると、固定部位から上方へ折り返した補助被覆シート部に被覆シート部側に戻ろうとする作用が生じ、マスクを装着した時、鼻の上部から両側部に渡って覆う前記補助被覆シート部は被覆シート部側に戻ろうとする作用により、鼻の上部から両側部に沿うように当接するので、鼻や頬と被覆シート部との密着性が、より一層高まり、埃、雑菌、花粉等の遮断効果の、より一層の向上を図ることができる。
【発明を実施するための最良の形態】
【００１５】
図１乃至図５は本発明に係るマスクを実施するための最良の形態の一例を示したもので、図１は本例の斜視図、図２は本例の被覆シート部に補助被覆シート部を設けた構成を示す断面図、図３は図２の補助被覆シート部を被覆シート部から突出させた状態を示す断面図、図４は本例の被覆シート部に補助被覆シート部を設けた構成の他例を示す断面図、図５は図４の補助被覆シート部を被覆シート部から突出させた状態を示す断面図である。
【００１６】
本例のマスクは、繊維材料で製造された鼻口部位を覆う被覆シート部１の両側に耳掛け部２を備えており、前記被覆シート部１の上辺中央部位には、鼻の上部から両側部に渡って覆う補助被覆シート部３が突出して設けられている。
【００１７】
前記被覆シート部１は繊維材料で製造されている。繊維材料としては、熱可塑性のある合成樹脂繊維や天然繊維で形成された不織布が使用されており、通気性があり、埃、雑菌、花粉等を遮断できるようになっている。
【００１８】
前記被覆シート部１の形状にあっては、平面形状に構成されてもの、立体形状に構成されたもの等、特に限定されないが、鼻や頬と被覆シート部１との密着性といった面や量産性といった面から、立体形状に構成されたものが好ましい。本例では、被覆シート部１は熱可塑性のある合成樹脂繊維で形成された不織布が使用され、立体形状に構成されている。
【００１９】
更に詳細には、被覆シート部１は、一枚の素材を左右に２つ折りして重ね、折部の上部を残して傾斜状にカットし、カットした左右の両端部同士を縫着、熱融着或いは超音波ウェルダー等で接合固定しており、使用前の状態ではその中央から左右方向に２つ折りされた平坦形状とされ、使用状態では前方に膨らむ立体形状とされるように構成されている。
【００２０】
前記被覆シート部１の両側に備えた耳掛け部２にあっては、伸縮性のある不織布で形成されており、被覆シート部１の両側に縫着、熱融着或いは超音波ウェルダー等で接合固定されている。
【００２１】
前記被覆シート部１の上辺中央部位に突出して設けられている補助被覆シート部３は、被覆シート部１を顔面に装着したとき、鼻の上部から両側部に渡って覆う大きさ及び形状に形成されており、本例では、半円形に形成されている。素材にあっては、前記被覆シート部１と同様に熱可塑性のある合成樹脂繊維で形成された不織布が使用されている。
【００２２】
また、前記被覆シート部１と、この上辺中央部位に突出して設けられている補助被覆シート部３にあっては、本例では、被覆シート部１と補助被覆シート部３が一体に形成され、補助被覆シート部３は被覆シート部１の顔面当接側に折り曲げられて被覆シート部１に重ねられ、この状態で前記折り曲げ部に沿って被覆シート部１と補助被覆シート部３が縫着、熱融着或いは超音波ウェルダー等で固定されており（図２参照）、前記補助被覆シート部３が前記固定部位４から上方へ折り返されて被覆シート部１の上辺から突出可能となっている（図３参照）。
【００２３】
図４及び図５は被覆シート部１と、この上辺中央部位に突出して設けられている補助被覆シート部３の他例を示すものであり、本例では、前記被覆シート部１と補助被覆シート部３が別体に形成され、補助被覆シート部３は、その上部を下側に向け下辺を前記被覆シート部１の上辺に合わせるようにして被覆シート部１の顔面当接側に重ねられ、前記補助被覆シート部３の下辺と被覆シート部１の上辺とが縫着、熱融着或いは超音波ウェルダー等で固定されており（図４参照）、前記補助被覆シート部３が前記固定部位４から上方へ折り返されて被覆シート部１の上辺から突出可能となっている（図５参照）。
【００２４】
このように構成されたマスクは、顔面に装着した時、被覆シート部１の上辺中央部位に突出して設けられている補助被覆シート部３が、鼻の上部から両側部に渡って覆うので、鼻や頬と被覆シート部１との密着性が高まり、埃、雑菌、花粉等の遮断効果の向上が図れる。
【００２５】
本例では、前記被覆シート部１が、使用前の状態ではその中央から左右方向に２つ折りされた平坦形状とされ、使用状態では前方に膨らむ立体形状とされるように構成されているので、鼻や頬と被覆シート部１との間の隙間を小さくでき、そして、この被覆シート部１の上辺中央部位に補助被覆シート部３が突出して設けられているので、鼻や頬と被覆シート部１との密着性が一層高まり、埃、雑菌、花粉等の遮断効果の一層の向上が図れる。
【００２６】
また、本例では、前記被覆シート部１と補助被覆シート部３は一体に形成され、補助被覆シート部３は被覆シート部１の顔面当接側に折り曲げられて被覆シート部１に重ねられ、この状態で前記折り曲げ部に沿って被覆シート部１と補助被覆シート部３が固定されており、前記補助被覆シート部３が前記固定部位４から上方へ折り返されて被覆シート部１の上辺から突出可能となっているので、マスク装着時に、被覆シート部１の顔面当接側に折り曲げられて被覆シート部１に重ねられ固定されている補助被覆シート部３を、固定部位４から上方へ折り返して起こし、被覆シート部１の上辺から突出させると、固定部位４から上方へ折り返して起こした補助被覆シート部３に被覆シート部１側に戻ろうとする作用が生じ、マスクを装着した時、鼻の上部から両側部に渡って覆う前記補助被覆シート部３は被覆シート部１側に戻ろうとする作用により、鼻の上部から両側部に沿うように当接するので、鼻や頬と被覆シート部１との密着性が、より一層高まり、埃、雑菌、花粉等の遮断効果の、より一層の向上が図れる。
【００２７】
そしてまた、使用前では、補助被覆シート部３を被覆シート部１に重ねた状態で、被覆シート部１をその中央から左右方向に２つ折りして平坦形状としておき、装着時に２つ折りした左右を拡げて、前方に膨らむ立体形状としてから、前記被覆シート部１に重ねられている補助被覆シート部３を、固定部位４から上方へ折り返して起こし、被覆シート部１の上辺から突出させるようにできるので、使用前の保管、取り扱いに便利である。
【００２８】
また、被覆シート部１と、この上辺中央部位に突出して設けられている補助被覆シート部３の他例として、前記のように、被覆シート部１と補助被覆シート部３を別体に形成し、前記補助被覆シート部３を、その上部を下側に向け下辺を前記被覆シート部１の上辺に合わせるようにして被覆シート部１の顔面当接側に重ね、前記補助被覆シート部３の下辺と被覆シート部１の上辺とを固定し、前記補助被覆シート部３を前記固定部位４から上方へ折り返して起こし、被覆シート部１の上辺から突出可能としてもよく、このように構成したときも、マスク装着時に、被覆シート部１の顔面当接側に重ねられ固定されている補助被覆シート部３を、固定部位４から上方へ折り返して起こし、被覆シート部１の上辺から突出させると、固定部位４から上方へ折り返して起こした補助被覆シート部３に被覆シート部１側に戻ろうとする作用が生じ、マスクを装着した時、鼻の上部から両側部に渡って覆う前記補助被覆シート部３は被覆シート部１側に戻ろうとする作用により、鼻の上部から両側部に沿うように当接するので、鼻や頬と被覆シート部１との密着性が、より一層高まり、埃、雑菌、花粉等の遮断効果の、より一層の向上が図れる。
【００２９】
そしてまた、使用前では、補助被覆シート部３を被覆シート部１に重ねた状態で、被覆シート部１をその中央から左右方向に２つ折りして平坦形状としておき、装着時に２つ折りした左右を拡げて、前方に膨らむ立体形状としてから、前記被覆シート部１に重ねられている補助被覆シート部３を、固定部位４から上方へ折り返して起こし、被覆シート部１の上辺から突出させるようにできるので、使用前の保管、取り扱いに便利である。
【００３０】
更には、本発明に係るマスクは、従来の被覆シート部の鼻部に当接する部位に金属製の保形部材を設けたマスクに比べ、安全性の高いマスクを得ることができる。また、構成が簡単なので、製造が容易であり量産に適している。
【図面の簡単な説明】
【００３１】
【図１】本発明に係るマスクを実施するための最良の形態の一例を示す斜視図。
【図２】本例の被覆シート部に補助被覆シート部を設けた構成を示す断面図。
【図３】図２の補助被覆シート部を被覆シート部から突出させた状態を示す断面図。
【図４】本例の被覆シート部に補助被覆シート部を設けた構成の他例を示す断面図。
【図５】図４の補助被覆シート部を被覆シート部から突出させた状態を示す断面図。
【符号の説明】
【００３２】
１  被覆シート部
２  耳掛け部
３  補助被覆シート部
４  固定部位
【図１】
2007044140.tif 000003
【図２】
2007044140.tif 000004
【図３】
2007044140.tif 000005
【図４】
2007044140.tif 000006
【図５】
2007044140.tif 000007